(57)【要約】【課題】アンケート用紙における回答用の直線と他の直線とが誤って認識されることがなく、アンケート用紙のレイアウトを自由に設定することができるようにした。【解決手段】回答直線４４ａと、回答直線４４ａの両端に設けられた一端直線４４ｂ及び他端直線４４ｃと、によりアンケートの回答図形４４を構成し、設定された解析範囲９０にて回答直線４４ａと平行な方向に走査して一端直線４４ｂ及び他端直線４４ｃを検出するようにし回答直線４４ａの位置及び個数を特定するようにした。【選択図】図９
2014235560.tif 000002
【特許請求の範囲】
【請求項１】
所定方向へ延びる回答直線と、前記回答直線の一端に中点が接続され前記回答直線と直交する方向へ延びる一端直線と、前記回答直線の他端に中点が接続され前記回答直線と直交する方向へ延び前記一端直線と同じ長さの他端直線と、からなる回答図形が予め印刷され、回答者に前記回答直線と斜めに交差する斜め線を記入させて回答させるアンケート用紙のアンケート結果を解析するにあたり、
未回答の前記アンケート用紙の画像データを取得する未回答画像取得ステップと、
前記未回答画像取得ステップにて取得された前記画像データに対して、アンケート結果を取得する解析範囲を設定する解析範囲設定ステップと、
前記解析範囲設定ステップにより設定された解析範囲を、前記回答直線と平行な方向に走査して前記一端直線及び前記他端直線を検出する端部直線検出ステップと、
前記端部直線検出ステップにて検出された前記一端直線及び前記他端直線の間を、前記回答直線と直交する方向に走査して前記回答直線を検出して前記回答直線の位置及び個数を特定する回答直線検出ステップと、
回答済みの前記アンケート用紙の画像データを取得する回答画像取得ステップと、
前記回答画像取得ステップにて取得された前記画像データについて、前記回答直線検出ステップにて特定された前記回答直線と斜めに交差する前記斜め線を検出する斜め線検出ステップと、
前記斜め線検出ステップにて検出された前記斜め線を、前記一端直線または前記他端直線からの距離に基づいて数値に変換する数値変換ステップと、を含むアンケート解析方法。
【請求項２】
前記斜め線検出ステップは、
前記一端直線と前記他端直線の間を、前記回答直線と平行な方向に走査して前記斜め線を検出し、
前記一端直線と前記他端直線の間にて前記斜め線が検出されなかった場合、前記一端直線と前記他端直線の外側を前記回答直線と直交する方向に走査して、前記一端直線または前記他端直線と交差する前記斜め線を検出する請求項１に記載のアンケート解析方法。
【請求項３】
前記斜め線検出ステップは、前記回答直線と隣接するピクセル領域を、前記回答直線と平行な方向に走査して前記斜め線を検出する請求項２に記載のアンケート解析方法。
【請求項４】
所定方向へ延びる回答直線と、前記回答直線の一端に中点が接続され前記回答直線と直交する方向へ延びる一端直線と、前記回答直線の他端に中点が接続され前記回答直線と直交する方向へ延び前記一端直線と同じ長さの他端直線と、からなる回答図形が予め印刷され、回答者に前記回答直線と斜めに交差する斜め線を記入させて回答させるアンケート用紙のアンケート結果を解析するために、
未回答の前記アンケート用紙の画像データを取得する未回答画像取得部と、
前記未回答画像取得部にて取得された前記画像データに対して、アンケート結果を取得する解析範囲を設定する解析範囲設定部と、
前記解析範囲設定部により設定された解析範囲を、前記回答直線と平行な方向に走査して前記一端直線及び前記他端直線を検出する端部直線検出部と、
前記端部直線検出部にて検出された前記一端直線及び前記他端直線の間を、前記回答直線と直交する方向に走査して前記回答直線を検出して前記回答直線の位置及び個数を特定する回答直線検出部と、
回答済みの前記アンケート用紙の画像データを取得する回答画像取得部と、
前記回答画像取得ステップにて取得された前記画像データについて、前記回答直線検出ステップにて特定された前記回答直線と斜めに交差する前記斜め線を検出する斜め線検出部と、
前記斜め線検出部にて検出された前記斜め線を、前記一端直線または前記他端直線からの距離に基づいて数値に変換する数値変換部と、を含むアンケート解析装置。
【請求項５】
コンピュータに、請求項１から３のいずれか１項に記載のアンケート解析方法における各ステップを実行させるアンケート解析プログラム。
【請求項６】
請求項５に記載のアンケート解析プログラムが記録されたコンピュータ読み取り可能な記録媒体。
【発明の詳細な説明】
【技術分野】
【０００１】
本発明は、回答者に回答直線と斜めに交差する斜め線を記入させて回答させるアンケート用紙を用いた、アンケート解析方法、アンケート解析装置、アンケート解析プログラム、及び、アンケート解析プログラムが記録された記録媒体に関する。
【背景技術】
【０００２】
アンケート業界において、例えば「大変良い」、「良い」、「普通」、「悪い」、「大変悪い」のような５段階による評価質問が、汎用的に使用されている質問形式である。しかし、５段階という少ない選択肢では、実態に合わせた回答が難しいケースが多くある。また６段階以上の評価質問では回答者が正確な選択肢を選択することが困難である。そのため実態を正確に数値化する質問形式が求められている。
【０００３】
回答者に自由な感覚で回答させる質問形式として、所定長さの１つの直線に対して、一端を最小値、他端を最大値として、任意の位置にマークさせる質問形式が提案されている（例えば、特許文献１参照）。特許文献１に記載されたアンケート解析方法によれば、解析対象範囲に含まれる直線からなるスケール上に存在する回答者により記述されたマーク位置を検出している。具体的には、解析対象範囲におけるスケールの数及び各スケールの位置を認識し、更に認識結果により得られる各スケールを基準にして、そのスケール位置から所定の距離を空けた位置を走査してマーク位置を検出している。
【０００４】
また、特許文献１の段落［００９８］には、「本実施形態として用いられるアンケート用紙のスケール５１には、事前にその両端や中央に基準となる縦棒をマークせず、一本の直線の棒により示されている。これにより、回答者によりマークされる縦棒が０％、１００％でマークされた場合に重なることがなく、更にマーク位置を検出し易くしてプログラムの効率化を図っている。」と記載されている。すなわち、直線は縦棒等の他の直線等と交わることなく、単独で印刷されている。
【０００５】
さらに、特許文献１の段落［０１２７］には、「上述したように本発明によれば、アンケート結果を効率的且つ高精度に取得することができる。具体的には、ＶＡＳにおけるアンケート結果の解析システムにおいて、本実施形態として用いられるアンケート用紙のスケールには、マークである縦棒を認識するために横棒の両端の縦棒をなくし、０％、１００％へのマークと重なることがなく、更にマーク位置を検出し易くしてプログラムの効率化を図っている。」と記載されている。
【先行技術文献】
【特許文献】
【０００６】
【特許文献１】特開２０１０−１０８０５８号公報
【発明の概要】
【発明が解決しようとする課題】
【０００７】
しかしながら、特許文献１に記載のアンケート解析方法では、直線が単独で印刷されているため、他の直線と誤って認識されてしまうおそれがある。このため、解析対象範囲に他の直線が入らないようにせざるを得ず、アンケート用紙のレイアウトが制限されてしまい、柔軟にアンケートの内容を設定できないという問題点がある。
【０００８】
本発明は、前記事情に鑑みてなされたものであり、その目的とするところは、アンケート用紙における回答用の直線と他の直線とが誤って認識されることがなく、アンケート用紙のレイアウトを自由に設定することのできるアンケート解析方法、アンケート解析装置、アンケート解析プログラム、及び、アンケート解析プログラムが記録された記録媒体を提供することにある。
【課題を解決するための手段】
【０００９】
本発明によれば、所定方向へ延びる回答直線と、前記回答直線の一端に中点が接続され前記回答直線と直交する方向へ延びる一端直線と、前記回答直線の他端に中点が接続され前記回答直線と直交する方向へ延び前記一端直線と同じ長さの他端直線と、からなる回答図形が予め印刷され、回答者に前記回答直線と斜めに交差する斜め線を記入させて回答させるアンケート用紙のアンケート結果を解析するにあたり、未回答の前記アンケート用紙の画像データを取得する未回答画像取得ステップと、前記未回答画像取得ステップにて取得された前記画像データに対して、アンケート結果を取得する解析範囲を設定する解析範囲設定ステップと、前記解析範囲設定ステップにより設定された解析範囲を、前記回答直線と平行な方向に走査して前記一端直線及び前記他端直線を検出する端部直線検出ステップと、前記端部直線検出ステップにて検出された前記一端直線及び前記他端直線の間を、前記回答直線と直交する方向に走査して前記回答直線を検出して前記回答直線の位置及び個数を特定する回答直線検出ステップと、回答済みの前記アンケート用紙の画像データを取得する回答画像取得ステップと、前記回答画像取得ステップにて取得された前記画像データについて、前記回答直線検出ステップにて特定された前記回答直線と斜めに交差する前記斜め線を検出する斜め線検出ステップと、前記斜め線検出ステップにて検出された前記斜め線を、前記一端直線または前記他端直線からの距離に基づいて数値に変換する数値変換ステップと、を含むアンケート解析方法が提供される。
【００１０】
このアンケート解析方法によれば、解析範囲内の回答直線を検出する際に、回答直線と平行な方向へ走査して、互いに平行で同一長さの一端直線と他端直線を検出するようにしたので、解析範囲内に回答直線と同方向へ延びる他の直線が存在していたとしても、誤って認識するようなことはない。
【００１１】
また、前記アンケート解析方法において、前記斜め線検出ステップは、前記一端直線と前記他端直線の間を、前記回答直線と平行な方向に走査して前記斜め線を検出し、前記一端直線と前記他端直線の間にて前記斜め線が検出されなかった場合、前記一端直線と前記他端直線の外側を前記回答直線と直交する方向に走査して、前記一端直線または前記他端直線と交差する前記斜め線を検出することが好ましい。
【００１２】
このアンケート解析方法によれば、回答者が回答直線の両端にマークしようとして、斜め線が回答直線と交差せずに、一端直線または他端直線と交差した場合にも、斜め線を検出することができる。
【００１３】
また、前記アンケート解析方法において、前記斜め線検出ステップは、前記回答直線と隣接するピクセル領域を、前記回答直線と平行な方向に走査して前記斜め線を検出することが好ましい。
【００１４】
このアンケート解析方法によれば、回答直線と隣接するピクセル領域にて斜め線を検出するようにしたので、回答直線と斜め線の交点とほぼ同じ位置で斜め線を検出することができる。
【００１５】
また、本発明によれば、所定方向へ延びる回答直線と、前記回答直線の一端に中点が接続され前記回答直線と直交する方向へ延びる一端直線と、前記回答直線の他端に中点が接続され前記回答直線と直交する方向へ延び前記一端直線と同じ長さの他端直線と、からなる回答図形が予め印刷され、回答者に前記回答直線と斜めに交差する斜め線を記入させて回答させるアンケート用紙のアンケート結果を解析するために、未回答の前記アンケート用紙の画像データを取得する未回答画像取得部と、前記未回答画像取得部にて取得された前記画像データに対して、アンケート結果を取得する解析範囲を設定する解析範囲設定部と、前記解析範囲設定部により設定された解析範囲を、前記回答直線と平行な方向に走査して前記一端直線及び前記他端直線を検出する端部直線検出部と、前記端部直線検出部にて検出された前記一端直線及び前記他端直線の間を、前記回答直線と直交する方向に走査して前記回答直線を検出して前記回答直線の位置及び個数を特定する回答直線検出部と、回答済みの前記アンケート用紙の画像データを取得する回答画像取得部と、前記回答画像取得ステップにて取得された前記画像データについて、前記回答直線検出ステップにて特定された前記回答直線と斜めに交差する前記斜め線を検出する斜め線検出部と、前記斜め線検出部にて検出された前記斜め線を、前記一端直線または前記他端直線からの距離に基づいて数値に変換する数値変換部と、を含むアンケート解析装置が提供される。
【００１６】
さらに、本発明によれば、コンピュータに、上記アンケート解析方法における各ステップを実行させるアンケート解析プログラムが提供される。
【００１７】
さらにまた、本発明によれば、上記アンケート解析プログラムが記録されたコンピュータ読み取り可能な記録媒体が提供される。
【発明の効果】
【００１８】
本発明によれば、アンケート用紙における回答用の直線と他の直線とが誤って認識されることがなく、アンケート用紙のレイアウトを自由に設定することができる。
【図面の簡単な説明】
【００１９】
【図１】図１は、本発明の一実施形態を示すアンケート冊子の概略図である。
【図２】図２は、所定ページのアンケート用紙を折り曲げた状態のアンケート冊子の概略図である。
【図３】図３は、アンケート用紙の平面図である。
【図４】図４は、アンケート解析システムの一例を示す説明図である。
【図５】図５は、アンケート解析装置の機能構成の一例を示す図である。
【図６】図６は、本実施形態におけるアンケート解析処理が実現可能なハードウェア構成の一例を示す図である。
【図７】図７は、アンケート解析処理手順の一例を示すフローチャートである。
【図８】図８は、アンケート用紙の画像データに解析範囲を設定している状態を示す説明図である。
【図９】図９は、設定された解析範囲を走査して左端直線及び右端直線を検出している状態を示す説明図である。
【図１０】図１０は、斜め線の検出方法を示す回答図形の説明図である。
【図１１】図１１は、斜め線の検出方法を示す回答図形の説明図である。
【図１２】図１２は、斜め線の検出方法を示す回答図形の説明図である。
【図１３】図１３は、出力結果の一例を示す表である。
【発明を実施するための形態】
【００２０】
図１から図１３は本発明の一実施形態を示すものであり、図１はアンケート冊子の概略図である。
【００２１】
図１に示すように、本実施形態においては、アンケート調査は、アンケート用紙１０が複数枚綴じられたアンケート冊子１を用いて行われる。各アンケート用紙１０は、平面視左上角部にてホッチキスの針２により綴じられている。各アンケート用紙１０は、左上角部に、左下方向から右上方向へ延びる切り込み１１を有している。各アンケート用紙１０は、切り込み１１により、回答領域１２と切取領域１３とに分けらる。回答領域１２には、アンケートに関する説明、質問、回答欄等が記載される。切取領域１３には、ホッチキスの針２が挿通される。
【００２２】
図２は、所定ページのアンケート用紙を折り曲げた状態のアンケート冊子の概略図である。
図２に示すように、各アンケート用紙１０は、切り込み１１を利用して折り曲げ可能となっている。回答者は、表側から各アンケート用紙１０を順次折り曲げていくことで、全てのアンケート用紙１０の質問内容を確認し、全てのアンケート用紙１０に回答を記入することができる。これにより、切り込み１１以外の部分でアンケート用紙１０が折り曲げられることがないようになっている。切り込み１１は、折り曲げた程度では回答領域１２と切取領域１３とが分離しないよう構成されている。
【００２３】
回答が記入されたアンケート冊子１は、各アンケート用紙１０がホッチキスの針２により綴じられたまま集計者に送付される。集計者は、切り込み１１を利用して、各アンケート用紙１０を一括して回答領域１２と切取領域１３とに分離する。切り込み１１は、集計者が切取領域１３に力を加えると、回答領域１２から分離されるよう構成されている。このように分離された各アンケート用紙１０は、画像読取装置のオートフィーダ部により一括して画像が読み込まれる。
【００２４】
このとき、各アンケート用紙１０は、切り込み１１以外の部分で折り曲げられていないことから、折り曲げのない状態で画像読取装置のオートフィーダ部へ投入することができ、オートフィーダ部の紙詰まり等を防止することができる。また、各アンケート用紙１０を中綴じとせず、角部の切取領域１３で綴じるようにし、各アンケート用紙１０がホッチキスの針２ごと一括して分離されるようにしたので、集計者の負担を飛躍的に軽減することができる。
【００２５】
図３は、アンケート用紙の平面図である。
ここで、各アンケート用紙１０の回答領域１２に記載されている内容について説明する。図３に示すように、各アンケート用紙１０は、記入例情報２０と、複数の質問情報４０，５０と、有している。尚、全てのアンケート用紙１０が記入例情報２０及び質問情報４０，５０を有している必要はなく、例えば、表紙のアンケート用紙１０にはアンケートの概要の説明だけであってもよい。また、少なくとも１つのアンケート用紙１０が記入例情報２０を有していれば、他のアンケート用紙１０が記入例情報２０を有しておらずともよい。
【００２６】
本実施形態においては、所定長さの直線に対して回答者に斜め線を記入させる斜め線質問情報４０と、所定の長方形の欄に対して回答者に文字を記入させる文字質問情報５０と、を含んでいる。アンケート用紙１０には、上から順に、第１の斜め線質問情報４０、文字質問情報５０、第２の斜め線質問情報４０の順に並べられている。
【００２７】
斜め線質問情報４０は、基本説明情報４１と、個別質問情報４２と、を有する。個別質問情報４２は、左側に配置される質問内容情報４３と、右側の回答図形４４と、を有する。質問内容情報４３は、長方形の欄と、長方形の欄内に記載された質問に関する文字情報と、を有する。回答図形４４は、左右へ延びる回答直線４４ａと、回答直線４４ａの左端から上下に延びる一端直線としての左端直線４４ｂと、回答直線４４ａの右端から上下に延びる他端直線としての右端直線４４ｃと、を有し、概略Ｈ字状に構成される。本実施形態においては、回答直線４４ａの長さは約５ｃｍである。左端直線４４ｂと右端直線４４ｃは同じ長さであり、それぞれ中点にて回答直線４４ｃの端部と接続される。回答者は、質問内容情報４３に対する回答を、回答直線４４ａと交差する斜め線４４ｄで記入する。ここで、回答直線４４ａは、一端が最大値、他端が最小値を示しており、回答者は任意の位置にマークすることができる。
【００２８】
また、アンケート用紙１０には、斜め線質問情報４０に関する記入例情報２０が記載されている。記入例情報２０は、斜め線質問情報４０と同様の質問内容情報４３と回答図形４４と、を有する。回答図形４４には、記入例として、斜め線４４ｄが予め記入されている。また、記入例情報２０は、斜め線４４ｄにより回答する旨の説明情報２１を有している。これにより、回答者は、記入例情報２０の記入例及び説明情報２１に従って、斜め線質問情報４０の回答直線４４ａに斜め線４４ｄで回答することとなる。
【００２９】
文字質問情報５０は、基本説明情報５１と、回答情報５２と、を有している。本実施形態においては、文字質問情報５０は選択回答式であり、回答者は回答情報５２に記載されている番号のいずれか１つを選んで○をつけて回答するようになっている。選択肢の１つは、文字を記入可能な長方形の欄５３を有しており、回答者は他の選択肢が回答に不適であった場合に、当該欄５３を有する回答を選択して文字情報を記入することができる。この欄５３は、アンケート用紙１０の左右にわたって延びている。
【００３０】
図４は、アンケート解析システムの一例を示す説明図である。
次に、アンケート解析システム１００について説明する。図４に示すように、アンケート解析システム１００は、画像読取装置２００と、アンケート解析装置３００と、を備えている。画像読取装置２００は、例えばスキャン機能を有する複合機であり、アンケート用紙１０の画像を読み取り、画像データをアンケート解析装置３００へ送信する。本実施形態においては、アンケート冊子１が複数のアンケート用紙１０を有していることから、画像読取装置２００は、重ねられた複数枚のアンケート用紙１０を自動で連続的に読み取るフィーダ機能を有していることが好ましい。これにより、画像読取装置２００にて、アンケート冊子単位で各アンケート用紙１０の画像を一括して読み込み、アンケート冊子単位で各アンケート用紙１０の画像を１つの電子ファイルとすることができる。例えば、この電子ファイルは、複数ページのアンケート用紙１０の画像データを含むマルチＴＩＦＦファイルとすることができる。
【００３１】
アンケート解析装置３００は、例えば汎用のＰＣからなり、画像読取装置２００から送信される各アンケート用紙１０の画像データに基づいて、アンケートの解析を行う。図５に示すように、アンケート解析装置３００は、画像取得部３１０と、解析範囲設定部３２０と、直線位置検出部３３０と、斜め線位置検出部３４０と、数値変換部３５０と、アンケート結果処理部３６０と、を有している。ここで、図５は、アンケート解析装置の機能構成の一例を示す図である。また、アンケート解析装置３００は、入力部３７０と、出力部３７５と、記憶部３８０と、送受信部３９０と、を有している。
【００３２】
入力部３７０は、アンケート解析装置３００の操作者から、各種動作の開示、終了等の入力を受け付ける。各種動作としては、アンケート用紙１０の画像データの読み取り、解析対象範囲の設定、質問情報４４の直線位置の検出、質問情報４４の斜め線位置の検出、斜め線位置の数値への変換、アンケート結果の処理等が挙げられる。入力部３７０は、例えばキーボード、マウス等からなる。
【００３３】
出力部３７５は、入力部３７０からの入力内容、各種動作の進行状況等の表示、出力等を行う。各種動作としては、アンケート用紙１０の画像データの読み取り、解析対象範囲の設定、質問情報４４の直線位置の検出、質問情報４４の斜め線位置の検出、斜め線位置の数値への変換、アンケート結果の処理等が挙げられる。出力部３７５は、ディスプレイ、スピーカ、プリンタ等からなる。
【００３４】
記憶部３８０には、アンケートに関する各種情報が記憶される。各種情報としては、アンケート用紙１０の画像データ、設定された解析対象範囲、質問情報４４の直線位置、質問情報４４の斜め線位置、斜め線位置の数値、処理されたアンケート結果等が挙げられる。
【００３５】
送受信部３９０は、ＵＳＢケーブル、ＬＡＮケーブル等により、画像読取装置２００や他の端末等と情報の送受信を行う。本実施形態においては、郵送によりアンケート冊子１を回収することを基本としているが、ＦＡＸによる回答、ＷＥＢによる回答も可能となっている。ＦＡＸによる回答は、回答者から送信されたアンケート用紙１０の画像データをＦＡＸ装置にて受信し、当該画像データを送受信部３９０から受信することで可能となる。例えば、画像読取装置２００にて読み込まれた複数のアンケート用紙１０の画像データをマルチＴＩＦＦファイルとする場合、ＦＡＸ装置にて受信される複数のアンケート用紙１０の画像データもマルチＴＩＦＦファイルとするとよい。ＷＥＢによる回答は、例えば回答直線４４ａを画面上で操作可能なスライドバー等とし、スライドバーの位置情報をインターネットから送受信部３９０を介して受信すればよい。ＦＡＸによる回答、ＷＥＢによる回答の他、電子メールによる回答等も可能である。
【００３６】
画像取得部３１０は、画像読取装置２００で読み取られたアンケート用紙１０の画像の電子データを取得する。本実施形態においては、アンケート冊子単位で各アンケート用紙１０の画像を１つの電子ファイルとして取得する。尚、画像取得部３１０は、ネットワークや記録媒体からアンケート用紙１０の画像の電子ファイルを取得することもできる。
【００３７】
解析範囲設定部３２０は、画像取得部３１０により取得された電子データについて、アンケート結果を解析する範囲を設定する。本実施形態においては、アンケート冊子単位で異なるレイアウトのアンケート用紙１０が含まれているため、アンケート用紙１０の各ページごとに解析範囲を設定する。
【００３８】
直線位置検出部３３０は、解析範囲設定部３２０により設定された解析範囲に含まれる回答図形４４の回答直線４４ａ、左端直線４４ｂ及び右端直線４４ｃの位置及び回答図形４４の個数を検出する。直線位置検出部３３０は、解析範囲を、回答直線４４ａと平行な方向に走査して左端直線４４ｂ及び右端直線４４ｃを検出した後、左端直線４４ｂ及び右端直線４４ｃと平行な方向に走査して回答直線４４ａを検出する。
【００３９】
斜め線位置検出部３４０は、直線位置検出部３３０により検出された回答図形４４ごとに、回答者により記入された斜め線４４ｄの位置を検出する。斜め線位置検出部３４０は、回答直線４４ａと上下に所定距離だけずれた位置にて、左端直線４４ｂと右端直線４４ｃの間を左右方向に走査することにより、斜め線４４ｄの位置を検出する。これにより、斜め線４４ｄが回答直線４４ａと交差している場合は、斜め線４４ｄの位置が検出される。
【００４０】
また、斜め線４４ｄが回答直線４４ａと交差していない場合、斜め線位置検出部３４０は、左端直線４４ｂから左に所定距離だけずれた位置を上下方向に走査する。これにより、斜め線４４ｄが左端直線４４ｂと交差している場合は、斜め線４４ｄの位置が検出される。
【００４１】
さらに、斜め線４４ｄが回答直線４４ａ及び左端直線４４ｂと交差していない場合、斜め線位置検出部３４０は、右端直線４４ｃから右に所定距離だけずれた位置を上下方向に走査する。これにより、斜め線４４ｄが右端直線４４ｃと交差している場合は、斜め線４４ｄの位置が検出される。
【００４２】
数値変換部３５０は、斜め線位置検出部３４０にて得られた斜め線４４ｄの位置を数値に変換する。数値変換部３５０は、斜め線４４ｄが回答直線４４ａと交差している場合は、斜め線４４ｄの検出位置を左端直線４４ｂ及び／又は右端直線４４ｃからの距離に基づいて数値化する。また、数値変換部３５０は、斜め線４４ｄが左端直線４４ｂと交差している場合は、斜め線４４ｄの検出位置を左端直線４４ｂからの距離がないものとして数値化する。また、数値変換部３５０は、斜め線４４ｄが右端直線４４ｃと交差している場合は、右端直線４４ｃからの距離がないものとして数値化する。
【００４３】
尚、数値変換部３５０は、斜め線位置検出部３４０にて斜め線４４ｄが検出されなかった場合や、複数の斜め線４４ｄが検出された場合は、予め設定されたエラー情報を出力する。このエラー情報は、例えば「Ｅｒｒｏｒ」、「×」等のようにエラーを示す文字であってもよいし、例えば「−１」等のようなエラー処理用の数値であってもよい。
【００４４】
アンケート結果処理部３６０は、数値変換部３５０により変換された斜め線４４ｄの数値を、各斜め線質問情報４０に対応させて、アンケート冊子単位で出力部３７５に出力する。また、アンケート結果処理部３６０は、アンケート冊子単位で各斜め線質問情報４０に対応する斜め線４４ｄの数値を、記憶部３８０に記憶させる。
【００４５】
ここで、本実施形態におけるアンケート解析処理が実現可能なコンピュータのハードウェア構成例について図を用いて説明する。図６は、本実施形態におけるアンケート解析処理が実現可能なハードウェア構成の一例を示す図である。
【００４６】
図６に示すように、このコンピュータ４００は、入力装置４１０と、出力装置４２０と、媒体読込装置４３０と、ストレージ装置４４０と、メモリ装置４５０と、演算装置４６０と、インターフェース装置４７０と、を有し、これらはシステムバス４８０で相互に接続されている。
【００４７】
入力装置４１０は、端末使用者が操作するキーボード、マウス等を有しており、端末使用者からのプログラムの実行等に関する各種操作信号を入力する。出力装置４２０は、データ等を表示するディスプレイを有し、各種プログラムの実行経過、結果等を表示することができる。なお、入力装置４１０と出力装置４２０とは、例えばタッチパネル等のように一体型の入出力手段であってもよく、この場合にはユーザの指やペン型の入力装置を用いて所定の位置をタッチして入力を行うことができる。
【００４８】
媒体読込装置４３０は、記録媒体４９０に記録されている情報を読み込み可能に構成される。媒体読込装置４３０は、例えばＣＤドライブ装置、ＤＶＤドライブ装置、ＵＳＢコネクタ装置等からなる。本実施形態においてはコンピュータ４００にインストールされる実行プログラムは、ＣＤ−ＲＯＭ、ＵＳＢメモリ等の記録媒体４９０により提供可能となっている。プログラムを記録した記録媒体４９０は、媒体読込装置４３０にセット可能であり、記録媒体４９０に記録されている実行プログラムが、記録媒体４９０から媒体読込装置４３０を介してストレージ装置４４０にインストールされる。
【００４９】
ストレージ装置４４０は、ハードディスク、ＳＳＤ等であり、各種プログラム、各種電子データ等が記憶される。記憶されているプログラム、データ等は、必要に応じて入出力を行うことができる。
【００５０】
メモリ装置４５０は、ＲＯＭ、ＲＡＭ等であり、演算装置４６０によりストレージ装置４４０から読み出された実行プログラム等を格納する。
【００５１】
演算装置４６０は、ＣＰＵ等であり、ＯＳ等の制御プログラム、及びメモリ装置４５０に格納されている実行プログラムに基づいて、各種演算や各ハードウェア構成部とのデータの入出力等、コンピュータ全体の処理を制御して、アンケート解析における各処理を実現することができる。なお、プログラムの実行中に必要な各種情報等は、ストレージ装置４４０から取得することができ、また実行結果等を格納することもできる。
【００５２】
インターフェース装置４７０は、通信ネットワーク等と接続することにより、アンケート用紙１０の画像データを画像読取装置２００以外から取得することができる。これにより、郵送によりアンケート冊子１の直接的な回収の他、ＦＡＸによる回答、ＷＥＢによる回答、電子メールによる回答等が可能となっている。
【００５３】
次に、図７を参照してアンケート解析方法について説明する。ここで、図７はアンケート解析処理手順の一例を示すフローチャートである。
まず、アンケートの解析にあたって初期設定を行う。具体的には、図７に示すように、アンケート冊子１の各アンケート用紙１０について、未回答の状態の画像データを取得する（未回答画像取得ステップＳ１０）。未回答の状態の画像データは、画像読取装置２００により読み取らせたものを使用してもよいし、印刷時等に使用したアンケート用紙１０の画像データを予め用意してもよい。
【００５４】
次いで、未回答画像取得ステップＳ１０にて取得された画像データに対して、アンケート結果を取得する解析範囲９０を設定する（解析範囲設定ステップＳ２０）。具体的には、図８に示すように、画像データを出力部３７５に出力し、画像データの解析範囲９０の設定入力を受け付ける。ここで、図８は、アンケート用紙の画像データに解析範囲を設定している状態を示す説明図である。本実施形態においては、出力部３７５のモニターの画面上で矩形状の領域をマウス等を利用して設定することもできるし、画像データにおける座標を指定して設定することもできる。
【００５５】
ユーザから解析範囲９０の設定入力を受け付けると、解析範囲９０における回答図形４４の位置及び個数を取得する。解析範囲９０の設定後、まず、解析範囲９０を、回答直線４４ａと平行な方向に走査して左端直線４４ｂ及び他端直線４４ｃを検出する（端部直線検出ステップＳ３０）。具体的には、図９の矢印に示すように、解析範囲９０の上部から、下方向に所定のピクセル数だけずらしながら左右方向に走査する。そして、左右方向に所定距離だけ離れた上下方向の直線が検出されると、回答図形４４の左端直線４４ｂ及び右端直線４４ｃの候補とする。ここで、左端直線４４ｂと右端直線４４ｃは同じ上下位置及び長さであることから、検出された２つの直線の長さの上下位置が異なっていたり、長さが異なっている場合は候補から除外する。
【００５６】
続いて、端部直線検出ステップＳ３０にて検出された左端直線４４ｂ及び前記右端直線４４ｃの間を、回答直線４４ａと直交する方向に走査して回答直線４４ａを検出して回答直線４４ａの位置及び個数を特定する（回答直線検出ステップＳ４０）。具体的には、左端直線４４ｂ及び右端直線４４ｃの候補とされた２つの直線の間を、左右方向に所定のピクセル数だけずらしながら上下方向にスキャンする。そして、左端直線４４ｂ及び右端直線４４ｃの間に左右方向の直線が検出されると、回答図形４４の回答直線４４ａの候補とする。ここで、回答直線４４ａは左端直線４４ｂ及び右端直線４４ｃの中点を接続していることから、検出された直線が左右方向に途切れていたり、上下方向に左端直線４４ｂ及び右端直線４４ｃの中点位置と異なっている場合は候補から除外する。
【００５７】
これにより、図９のように解析範囲９０が設定されたとすると、上下中央の長方形の欄５３は回答直線４４ａとして検出されず、上側及び下側の回答図形４４中の回答直線４４ａのみが回答直線４４ａとして検出される。ここで、図９は、設定された解析範囲を走査して左端直線及び右端直線を検出している状態を示す説明図である。図９の場合は欄５３の右側の一部が解析範囲９０に入っただけであるので誤検出され難いが、仮に長方形の欄の全部分が解析範囲９０に入ったとしても誤検出されることはない。
【００５８】
このようにして回答図形４４の位置及び個数が取得された後、アンケート冊子１の各アンケート用紙１０について、回答済みの画像データを取得する（回答画像取得ステップＳ５０）。そして、回答画像取得ステップＳ５０にて取得された画像データについて、回答直線検出ステップ４０にて特定された回答直線４４ａと斜めに交差する斜め線４４ｄを検出する（斜め線検出ステップＳ６０）。
【００５９】
図１０に示すように、本実施形態においては、斜め線検出ステップＳ６０では、回答直線４４ａと隣接するピクセル領域を、回答直線４４ａと平行な方向に走査して斜め線４４ｄを検出する。ここで、図１０は、斜め線の検出方法を示す回答図形の説明図である。このように隣接するピクセル領域で検出することにより、回答直線４４ａと斜め線４４ｄの交点とほぼ同じ位置で斜め線４４ｄを検出することができる。尚、斜め線４４ｄを検出するために走査するピクセル領域は、回答直線４４ａと隣接してなくともよい。
【００６０】
図１１は、斜め線の検出方法を示す回答図形の説明図である。図１１（ａ）は斜め線４４ｄが回答直線４４ａ及び左端直線４４ｂと交差し、図１１（ｂ）は斜め線４４ｄが回答直線４４ａ及び右端直線４４ｃと交差した状態を示している。本実施形態においては、アンケート用紙１０に斜めに線を引くように記入例２０を記載しているので、回答直線４４ａの両端付近にマークされた場合であっても、左端直線４４ｂ及び右端直線４４ｃと明確に区別することができる。
【００６１】
また、斜め線検出ステップＳ６０では、左端直線４４ｂと右端直線４４ｃの間にて斜め線４４ｄが検出されなかった場合、図１２に示すように、左端直線４４ｂと右端直線４４ｃの外側を回答直線４４ａと直交する方向に走査して、左端直線４４ｂまたは右端直線４４ｃと交差する斜め線４４ｄを検出する。ここで、図１２は斜め線の検出方法を示す回答図形の説明図である。図１２（ａ）は斜め線４４ｄが回答直線４４ａと交差せずに左端直線４４ｂと交差し、図１２（ｂ）は斜め線４４ｄが回答直線４４ａと交差せずに右端直線４４ｃと交差した状態を示している。これによれば、回答者が回答直線４４ａの両端にマークしようとして、斜め線４４ｄが回答直線４４ａと交差せずに、左端直線４４ｂまたは右端直線４４ｃと交差した場合にも、斜め線４４ｄを検出することができる。
【００６２】
次に、斜め線検出ステップＳ６０にて検出された斜め線４４ｄを、左端直線４４ｂまたは右端直線４４ｃからの距離に基づいて数値に変換する（数値変換ステップＳ７０）。本実施形態においては、左端直線４４ｂまたは右端直線４４ｃの一方を０、他方を１００とし、小数点以下を四捨五入することにより整数による数値化を行う。尚、基準となる数値として、０や１００以外の数値を使用してもよいことは勿論である。
【００６３】
そして、数値変換ステップＳ７０にて変換された数値を出力部３７５に出力する（数値出力ステップＳ８０）。本実施形態においては、出力部３７５に出力された数値は、端末使用者により修正できるように構成される。また、斜め線４４ｄが検出されなかった場合や、複数の斜め線４４ｄが検出されている場合も、アンケート結果の数値を入力部３７０から入力できるように構成されている。
【００６４】
また、本実施形態においては、数値出力ステップＳ８０にて、１つのアンケート冊子１のアンケート結果を解析するたびに、回答者の情報と数値の情報とを関連付けて、記憶部３８０に記憶する。さらに、本実施形態においては、記憶部３８０に蓄積されているアンケート結果に基づいて統計データを出力する（統計データ出力ステップＳ９０）。
【００６５】
図１３は、出力結果の一例を示す表である。図１３では、回答者毎に「サンプルＮｏ」として番号が割り当てられ、アンケートの質問の番号と、数値出力ステップＳ８０にて出力されるアンケート結果の数値と、が一括して表示されている。また、図１３では、回答者毎のアンケート結果の数値に加え、統計データ出力ステップＳ９０にて出力される統計データとしての平均値も一括して表示されている。
【００６６】
以上詳述したように、本実施形態のアンケート解析方法によれば、解析範囲９０内の回答直線４４ａを検出する際に、回答直線４４ａと平行な方向へ走査して、互いに平行で同一長さの左端直線４４ｂと右端直線４４ｃを検出するようにしたので、解析範囲９０内に回答直線４４ａと同方向へ延びる他の直線が存在していたとしても、誤って認識するようなことはない。これにより、文字質問情報５０のような、斜め線質問情報４０以外の他の質問情報を含む場合であっても、他の質問情報の直線を回答直線４４ａと認識することはない。従って、アンケート用紙１０のレイアウトを自由に設定することができ、様々な回答形式の質問を混ぜることができるなど、アンケートの内容を現実的かつ柔軟なものとすることができる。
【００６７】
また、アンケート冊子１の各アンケート用紙１０が切り込み１１を利用して一括して切り離されるようにしたので、各アンケート用紙１０を冊子の状態のまま画像読取装置２００のフィーダ部へ投入することができる。これにより、各アンケート用紙１０のページの順序が前後したりすることがないのは勿論、各アンケート用紙１０の上下左右端部が揃えられたままフィーダ部へ投入することにより、ページごとの画像データのずれ等を最小限に抑えることができる。従って、アンケート結果の画像データのずれ等に基づく誤差を小さくすることができる。
【００６８】
また、回答直線４４ａの長さを、従来の５段階評価の回答欄と同様に約５ｃｍとしたので、従来の回答欄を回答図形４４に簡単容易に置き換えることができる。また、５ｃｍの回答直線４４ａは、回答者が記入範囲を理解しやすく、回答者が斜め線４４ｄの記入にあたって戸惑うことはない。さらに、回答者が記入ミスをしたアンケート用紙１０を取り扱う際に、５ｃｍであれば市販定規などで回答直線４４ａの位置を計測しやすく、記入ミスをした場合であっても簡単にアンケート結果の点数化等をすることができる。
【００６９】
また、アンケート結果を０から１００の間の整数で出力するようにしたので、５段階評価の場合と比較して直感的に理解しやすい。これにより、アンケート結果の有意差を的確に把握することができる。
【００７０】
尚、前記実施形態においては、回答直線４４ａが左右方向へ延び、回答直線４４ａの両端に左端直線４４ｂ及び右端直線４４ｃを設けたものを示したが、回答直線が上下方向へ延びるものであってもよい。この場合、回答直線の上端及び下端に回答直線と直交する直線を設ければよい。
【００７１】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００７２】
１  アンケート冊子
２  針
１０  アンケート用紙
１１  切り込み
１２  回答領域
１３  切取領域
２０  記入例情報
２１  説明情報
４０  斜め線質問情報
４１  基本説明情報
４２  個別質問情報
４３  質問内容情報
４４  回答図形
４４ａ 回答直線
４４ｂ 左端直線
４４ｃ 右端直線
４４ｄ 斜め線
５０  文字質問情報
５１  基本説明情報
５２  回答情報
５３  欄
１００ アンケート解析システム
２００ 画像読取装置
３００ アンケート解析装置
３１０ 画像取得部
３２０ 解析範囲設定部
３３０ 直線位置検出部
３４０ 斜め線位置検出部
３５０ 数値変換部
３６０ アンケート結果処理部
３７０ 入力部
３７５ 出力部
３８０ 記憶部
３９０ 送受信部
４００ コンピュータ
４１０ 入力装置
４２０ 出力装置
４３０ 媒体読込装置
４４０ ストレージ装置
４５０ メモリ装置
４６０ 演算装置
４７０ インターフェース装置
４８０ システムバス
４９０ 記録媒体
【図１】
2014235560.tif 000003
【図２】
2014235560.tif 000004
【図３】
2014235560.tif 000005
【図４】
2014235560.tif 000006
【図５】
2014235560.tif 000007
【図６】
2014235560.tif 000008
【図７】
2014235560.tif 000009
【図８】
2014235560.tif 000010
【図９】
2014235560.tif 000011
【図１０】
2014235560.tif 000012
【図１１】
2014235560.tif 000013
【図１２】
2014235560.tif 000014
【図１３】
2014235560.tif 000015
【手続補正書】
【提出日】平成25年7月11日(2013.7.11)
【手続補正１】
【補正対象書類名】特許請求の範囲
【補正対象項目名】全文
【補正方法】変更
【補正の内容】
【特許請求の範囲】
【請求項１】
所定方向へ延びる回答直線と、前記回答直線の一端に中点が接続され前記回答直線と直交する方向へ延びる一端直線と、前記回答直線の他端に中点が接続され前記回答直線と直交する方向へ延び前記一端直線と同じ長さの他端直線と、からなる回答図形が予め印刷され、回答者に前記回答直線と斜めに交差する斜め線を記入させて回答させるアンケート用紙のアンケート結果を解析するにあたり、
未回答の前記アンケート用紙の画像データを取得する未回答画像取得ステップと、
前記未回答画像取得ステップにて取得された前記画像データに対して、アンケート結果を取得する解析範囲を設定する解析範囲設定ステップと、
前記解析範囲設定ステップにより設定された解析範囲を、前記回答直線と平行な方向に走査して前記一端直線及び前記他端直線を検出する端部直線検出ステップと、
前記端部直線検出ステップにて検出された前記一端直線及び前記他端直線の間を、前記回答直線と直交する方向に走査して前記回答直線を検出して前記回答直線の位置及び個数を特定する回答直線検出ステップと、
回答済みの前記アンケート用紙の画像データを取得する回答画像取得ステップと、
前記回答画像取得ステップにて取得された前記画像データについて、前記回答直線検出ステップにて特定された前記回答直線と斜めに交差する前記斜め線を検出する斜め線検出ステップと、
前記斜め線検出ステップにて検出された前記斜め線を、前記一端直線または前記他端直線からの距離に基づいて数値に変換する数値変換ステップと、を含み、
前記斜め線検出ステップは、
前記一端直線と前記他端直線の間を、前記回答直線と平行な方向に走査して前記斜め線を検出し、
前記一端直線と前記他端直線の間にて前記斜め線が検出されなかった場合、前記一端直線と前記他端直線の外側を前記回答直線と直交する方向に走査して、前記一端直線または前記他端直線と交差する前記斜め線を検出するアンケート解析方法。
【請求項２】
前記斜め線検出ステップは、前記回答直線と隣接するピクセル領域を、前記回答直線と平行な方向に走査して前記斜め線を検出する請求項１に記載のアンケート解析方法。
【請求項３】
所定方向へ延びる回答直線と、前記回答直線の一端に中点が接続され前記回答直線と直交する方向へ延びる一端直線と、前記回答直線の他端に中点が接続され前記回答直線と直交する方向へ延び前記一端直線と同じ長さの他端直線と、からなる回答図形が予め印刷され、回答者に前記回答直線と斜めに交差する斜め線を記入させて回答させるアンケート用紙のアンケート結果を解析するために、
未回答の前記アンケート用紙の画像データを取得する未回答画像取得部と、
前記未回答画像取得部にて取得された前記画像データに対して、アンケート結果を取得する解析範囲を設定する解析範囲設定部と、
前記解析範囲設定部により設定された解析範囲を、前記回答直線と平行な方向に走査して前記一端直線及び前記他端直線を検出する端部直線検出部と、
前記端部直線検出部にて検出された前記一端直線及び前記他端直線の間を、前記回答直線と直交する方向に走査して前記回答直線を検出して前記回答直線の位置及び個数を特定する回答直線検出部と、
回答済みの前記アンケート用紙の画像データを取得する回答画像取得部と、
前記回答画像取得部にて取得された前記画像データについて、前記回答直線検出部にて特定された前記回答直線と斜めに交差する前記斜め線を検出する斜め線検出部と、
前記斜め線検出部にて検出された前記斜め線を、前記一端直線または前記他端直線からの距離に基づいて数値に変換する数値変換部と、を含み、
前記斜め線検出部は、
前記一端直線と前記他端直線の間を、前記回答直線と平行な方向に走査して前記斜め線を検出し、
前記一端直線と前記他端直線の間にて前記斜め線が検出されなかった場合、前記一端直線と前記他端直線の外側を前記回答直線と直交する方向に走査して、前記一端直線または前記他端直線と交差する前記斜め線を検出するアンケート解析装置。
【請求項４】
コンピュータに、請求項１または２に記載のアンケート解析方法における各ステップを実行させるアンケート解析プログラム。
【請求項５】
請求項４に記載のアンケート解析プログラムが記録されたコンピュータ読み取り可能な記録媒体。
【手続補正２】
【補正対象書類名】明細書
【補正対象項目名】００１５
【補正方法】変更
【補正の内容】
【００１５】
また、本発明によれば、所定方向へ延びる回答直線と、前記回答直線の一端に中点が接続され前記回答直線と直交する方向へ延びる一端直線と、前記回答直線の他端に中点が接続され前記回答直線と直交する方向へ延び前記一端直線と同じ長さの他端直線と、からなる回答図形が予め印刷され、回答者に前記回答直線と斜めに交差する斜め線を記入させて回答させるアンケート用紙のアンケート結果を解析するために、未回答の前記アンケート用紙の画像データを取得する未回答画像取得部と、前記未回答画像取得部にて取得された前記画像データに対して、アンケート結果を取得する解析範囲を設定する解析範囲設定部と、前記解析範囲設定部により設定された解析範囲を、前記回答直線と平行な方向に走査して前記一端直線及び前記他端直線を検出する端部直線検出部と、前記端部直線検出部にて検出された前記一端直線及び前記他端直線の間を、前記回答直線と直交する方向に走査して前記回答直線を検出して前記回答直線の位置及び個数を特定する回答直線検出部と、回答済みの前記アンケート用紙の画像データを取得する回答画像取得部と、前記回答画像取得部にて取得された前記画像データについて、前記回答直線検出部にて特定された前記回答直線と斜めに交差する前記斜め線を検出する斜め線検出部と、前記斜め線検出部にて検出された前記斜め線を、前記一端直線または前記他端直線からの距離に基づいて数値に変換する数値変換部と、を含むアンケート解析装置が提供される。